(57)【要約】【課題】種々の太さのロッドに対して共通して用いることができるヘアセット器具を提供する。【解決手段】本実施の形態に係るヘアセット用器具１０は、挟持部１４と、挟持部１４の長手方向両端部に形成されたフック部１６、１７とを有するヘアセット器具１０であって、フック部１６、１７の係止部がロッド１２の両端部に進入、係止することによってロッド１２の外表面上に着脱自在に設けられ、挟持部１４の幅方向の少なくとも一側縁部１４ｂが、挟持部１４の挟持面１４ａとロッド１２外表面との間に挟み込まれる髪の毛２０を挟持部１４の両端方向に振り分け可能に、中央部が高く、両端部に向けて低くなる傾斜縁に形成されていると共に、該傾斜縁の両端部に突部１５が形成されていることを特徴とする。【選択図】図５
2017185032.tif 000002
【特許請求の範囲】
【請求項１】
挟持部と、該挟持部の長手方向両端部からそれぞれ延設された延設部、および該延設部からそれぞれ曲折部を介して前記延設部に対して対向して延びる係止部よりなるフック部とを有するヘアセット器具であって、
前記フック部の係止部が筒状ロッドの両端部に進入、係止することによって該筒状ロッドの外表面上に着脱自在に設けられ、前記挟持部の幅方向の少なくとも一側縁部が、前記挟持部の挟持面と前記筒状ロッド外表面との間に挟み込まれる髪の毛を前記挟持部の両端方向に振り分け可能に、中央部が高く、両端部に向けて低くなる傾斜縁に形成されていると共に、前記傾斜縁の両端部に突部が形成されていることを特徴とするヘアセット器具。
【請求項２】
前記フック部が、前記挟持部の前記挟持面に対して、外方に離反する方向に屈曲されていることを特徴とする請求項１記載のヘアセット器具。
【請求項３】
前記筒状ロッドに対して長手方向の一方向にずらすことによって、前記フック部のうちの一方のフック部の前記係止部が前記筒状ロッドの端部から外れ、前記筒状ロッドの中央部にずらすことによって、前記両フック部の前記係止部が前記筒状ロッドの端部に係止可能であることを特徴とする請求項１または２記載のヘアセット器具。
【発明の詳細な説明】
【技術分野】
【０００１】
本発明は、パーマ（パーマネントウェーブ）やヘアドライアーによるセットなどの際、短い髪であっても、容易に毛先を逃がして巻くことのできるヘアセット用器具に関する。
【背景技術】
【０００２】
発明者は先に、特許文献１に示すようなヘアセット用器具を開発した。このヘアセット用器具は、外周に所要形状の切欠き部を有するロッドと、このロッドに挿入可能な芯体とを具備する。
このヘアセット器具によれば、男性の髪の毛のように短い髪の毛であっても、いわゆる毛先を側方に逃がした状態で髪の毛を巻き込み、パーマ等のヘアセットを行うことができる。“毛先を逃がす”というのは、ロッドに髪の毛を巻き付ける際、毛先だけ残して巻くことをいう。このように、毛先を丸めず、巻き込まずに毛先を逃がしてロッド巻きすることによって、自然な髪の流れを表現することができる。
【０００３】
特許文献１のヘアセット器具を用いてヘアセットをするには、まず、ロッドを髪の毛の下に当てがい、切欠き部内に髪の毛を進入させ、次いで、芯体をロッド内に挿入して、髪の毛をロッドと芯体とで挟み込み、さらに切欠き部の傾斜縁部に沿って、髪の毛の先端側を所要方向に振り分け、この状態でロッドと芯体とを手前側に巻き込むことによって、いわゆる毛先を側方に逃がした状態で髪の毛をロッド上に巻き込むことができる。この状態で輪ゴム等の固定具によって髪の毛を固定し、パーマ掛け等を行うことができる。
【先行技術文献】
【特許文献】
【０００４】
【特許文献１】特開２０１３−３１６４３号公報
【発明の概要】
【発明が解決しようとする課題】
【０００５】
ところで、ロッドは、種々の太さと長さを有するものが市販されている。
しかるに、特許文献１のヘアセット器具は、ロッドに芯体を挿入して用いるものであるため、所要太さのロッドに対して、所要太さの芯体が一対一に対応している必要があり、そのため、既に存在している市販の様々な太さのロッドに適合させるため、様々な太さの芯体を準備しなければならず、厄介である。また、使用の都度、太さの適合するロッドと芯体を選択する必要があり、作業上も厄介であるという課題があった。
【０００６】
そこで、本発明は上記課題を解決すべくなされたものであり、その目的とするところは、既に市販されている様々な太さのロッドに対して共通して用いることができ、作業性も良好なヘアセット器具を提供することにある。
【課題を解決するための手段】
【０００７】
本実施の形態に係るヘアセット用器具は、挟持部と、該挟持部の長手方向両端部からそれぞれ延設された延設部、および該延設部からそれぞれ曲折部を介して前記延設部に対して対向して延びる係止部よりなるフック部とを有するヘアセット器具であって、前記フック部の係止部が筒状ロッドの両端部に進入、係止することによって該筒状ロッドの外表面上に着脱自在に設けられ、前記挟持部の幅方向の少なくとも一側縁部が、前記挟持部の挟持面と前記筒状ロッド外表面との間に挟み込まれる髪の毛を前記挟持部の両端方向に振り分け可能に、中央部が高く、両端部に向けて低くなる傾斜縁に形成されていると共に、前記傾斜縁の両端部に突部が形成されていることを特徴とする。
【０００８】
前記フック部を、前記挟持部の前記挟持面に対して、外方に離反する方向に屈曲させるようにすると好適である。
本実施の形態では、前記筒状ロッドに対して長手方向の一方向にずらすことによって、前記フック部のうちの一方のフック部の前記係止部が前記筒状ロッドの端部から外れ、前記筒状ロッドの中央部にずらすことによって、前記両フック部の前記係止部が前記筒状ロッドの端部に係止可能であることを特徴とする。
そのために、前記筒状ロッドの長さをｍ、前記挟持部の長さをｌ、前記フック部の長さをｎとするとき、ｍ−ｎ＜ｌ＜ｍとなるように設定するとよい。
【０００９】
前記挟持部の幅方向の両側縁部を、前記筒状ロッド外表面との間に挟み込まれる髪の毛を前記挟持部の両端方向に振り分け可能に、中央部が高く、両端部に向けて低くなる前記傾斜縁に形成すると共に、前記傾斜縁の両端部に該傾斜縁の傾斜と逆方向に傾斜する傾斜部を形成する突部を形成するようにすることもできる。
あるいは、前記挟持部の幅方向の一側縁部を、中央部が凹む傾斜縁に形成することもできる。
前記挟持部および前記突部を、前記筒状ロッドの外表面に沿うように湾曲して形成すると好適である。
【００１０】
上記いずれかのヘアセット器具を用い、前記ヘアセット器具を、前記挟持部の前記挟持面を手前側に向けて所要量の髪の毛の下に当てがい、筒状ロッドを、髪の毛を前記ヘアセット器具で挟むようにして前記ヘアセット器具に装着し、髪の毛の先端側を前記挟持部の両端側に向けて、前記一端縁の前記傾斜縁に沿って振り分け、前記ヘアセット器具と前記筒状ロッドとを、手前側に向けて回転させることによって、髪の毛を前記ヘアセット器具と前記筒状ロッド上に巻き付け、固定具によって、前記ヘアセット器具と前記筒状ロッド上に髪の毛を巻きつけた状態で前記ヘアセット器具および前記筒状ロッドを固定し、パーマネント掛けもしくはドライアー掛けをすることができる。
【００１１】
あるいは、前記ヘアセット器具を、前記挟持部の前記挟持面を手前側に向けて所要量の髪の毛の下に当てがい、筒状ロッドを、髪の毛を前記ヘアセット器具で挟むようにして前記ヘアセット器具に装着し、髪の毛の先端側を前記挟持部の前記一側縁部の中央部の凹部に向けて寄せ集めて後、髪の毛の先端側を前記挟持部の一方の側に振り向け、前記ヘアセット器具と前記筒状ロッドとを、手前側に向けて回転させることによって、髪の毛を前記ヘアセット器具と前記筒状ロッド上に巻き付け、固定具によって、前記ヘアセット器具と前記筒状ロッド上に髪の毛を巻きつけた状態で前記ヘアセット器具および前記筒状ロッドを固定し、パーマネント掛けもしくはドライアー掛けをすることができる。
【発明の効果】
【００１２】
本発明によれば、１つのヘアセット器具を、様々な太さのロッドに共通して用いることができ、コスト的に有利で、また作業性にも優れるという効果を奏する。
【図面の簡単な説明】
【００１３】
【図１】ヘアセット器具の平面図である。
【図２】ヘアセット器具の正面図である。
【図３】ロッドの正面図である。
【図４】ヘアセット器具を髪の毛に当てた状態の説明図である。
【図５】ロッドの一端にフック部（係止部）を挿入した状態の説明図である。
【図６】ロッドをヘアセット器具に取り付けた状態の説明図である。
【図７】髪の毛の先端を逃がした状態で、髪の毛をヘアセット器具に巻きつけた状態の説明図である。
【図８】ヘアセット器具を髪の毛に当てた状態の説明図である。
【図９】ロッドをヘアセット器具に取り付けた状態の説明図である。
【図１０】髪の毛の先端をヘアセット器具の両端側に振り分けた状態の説明図である。
【図１１】ヘアセット器具の他の実施の形態の平面図である。
【図１２】ヘアセット器具の他の実施の形態の正面図である。
【図１３】ヘアセット器具の他の実施の形態の側面図である。
【発明を実施するための形態】
【００１４】
以下、本発明の実施の形態を添付図面に基づいて詳細に説明する。
図１はヘアセット器具１０の平面図であり、図２はその正面図、図３は筒状ロッド（ロッド）１２の正面図である。
ヘアセット器具１０は、樹脂製であり、細長片状の挟持部１４と、挟持部１４の長手方向両端部に形成されたフック部１６、１７を有する。フック部１６、１７は、挟持部１４の長手方向両端部からそれぞれそのまま片状に延設された延設部１６ａ、１７ａ、および延設部１６ａ、１７ａからそれぞれ曲折部１６ｂ、１７ｂを介して延設部１６ａ、１７ａに対して対向して延びる係止部１６ｃ、１７ｃよりなる。したがって、フック部１６、１７は、平面視、ほぼＵ字状をなす。
【００１５】
またフック部１６、１７は、図１に示すように、挟持部１４の延びるＸ方向（挟持面１４ａ（図２）の延びる方向）に対して、角θだけ後方に離反するＹ方向に屈曲されている。角θは、１０°〜１４°の範囲、好適にはほぼ１２°が好ましい。
図２に明確なように、挟持部１４の幅方向の一方の側縁部（傾斜縁）１４ｂが、中央部が高く、両端部に向けて低くなる傾斜縁に形成されている。すなわち、一方の側縁部１４ｂは、中央部が高い山状に形成されている。また側縁部（傾斜縁）１４ｂの両端部に該傾斜縁の傾斜と逆方向に傾斜する（前記傾斜縁１４ｂに対する直角を含む）傾斜部１５ａを形成する突部１５が形成されている。
側縁部１４ｂが、中央部が高い山状に形成されていることにより、後記するように、髪の毛を側縁部（傾斜縁）１４ｂの高さの低い両端方向に振り分けることができる。また、側縁部（傾斜縁）１４ｂの両端部に突部１５が形成されていることにより、両側に振り分けられた髪の毛が必要以上に外方に逃げるのを防止できる。
【００１６】
前記筒状ロッド１２は、一般的に中央部の径が両端部の径よりも細い、細長の鼓状に形成されている。
挟持部１４の特に挟持面１４ａ（図２）を、上記鼓状の筒状ロッド１２の外表面に沿うように、長手方向および幅方向に湾曲させて形成すると好適である。
また、同様に、突部１５の、挟持面１４ａと同じ側の面を、筒状ロッド１２の外表面に沿うように湾曲させて形成すると好適である。
上記のように、挟持面１４ａおよび突部１５を湾曲させて形成することにより、ヘアセット器具１０と筒状ロッド１２とで髪の毛を良好に挟み込むことができる。
【００１７】
ヘアセット器具１０は、フック部１６、１７の係止部１６ｃ、１７ｃが筒状ロッド１２の両端部に進入、係止することによって筒状ロッド１２の外表面上に着脱自在に設けられている。すなわち、筒状ロッド１２に対して長手方向の一方向にずらすことによって、フック部１６、１７のうちの一方のフック部の係止部が筒状ロッド１２の端部から外れ、筒状ロッド１２の中央部にずらすことによって、両フック部１６、１７の係止部１６ｃ、１７ｃが筒状ロッド１２の端部に係止可能となっている。
【００１８】
そのために、筒状ロッド１２の長さをｍ、挟持部１４の長さをｌ、フック部１６、１７の長さをｎとするとき、ｍ−ｎ＜ｌ＜ｍの関係となるように、各部の長さが設定されている。
換言すれば、挟持部１４は、ロッド１２の長さよりも若干短い長さとなっている。また、挟持部１４と両フック部１６、１７を合わせた全体の長さは、ロッド１２の長さよりも長く、両係止部１６ｃ、１７ｃの先端間の間隔は、ロッド１２の長さよりも短くなっている。
【００１９】
したがって、図５に示すように、ロッド１２を、その一方の端部に一方の係止部１６ｃが進入するように当てがい、次いで、挟持部１４を弾性変形させつつ、かつロッド１２を他方の係止部１７ｃ方向にずらし、他方の係止部１７ｃがロッド１２の他方の端部に進入するようにすることで、図６に示すように、ヘアセット器具１０がロッド１２上に装着された状態となる。
すなわち、両フック部１６、１７の係止部１６ｃ、１７ｃがロッド１２の両端部に進入、係止することによって、ヘアセット器具１０がロッド１２の外表面上に、該外表面にほぼ沿うようにして装着された状態となる。
この場合に、挟持部１４の挟持面１４ａがロッド１２の外表面に弾性的に当接することから、後記するように、挟持部１４の挟持面１４ａとロッド１２外表面との間で、髪の毛を挟みこむようにすることができる。
【００２０】
なお、本実施の形態では、挟持部１４の幅方向の他方の側縁部１４ｄを、中央部が凹む傾斜縁に形成している（図１、図２等）。
また、前記のように、ヘアセット器具１０は樹脂製であり、割型の成形金型（図示せず）の離反方向に対して、型抜きが可能な形状に形成されている。
また、ロッド１２は、従来公知のものを使用でき、前記のように細長い鼓形状をなし、両端部に輪ゴム等の固定具を係止可能な複数の突起１２ａを有する。
【００２１】
本実施の形態に係るヘアセット器具１０は上記のように構成されている。
ヘアセット器具１０を用いてヘアセットをするのは次のようにして行える。
図４〜図７はヘアセット手順を示す模式図、図８〜図１０はその説明図である。
まず、図４、図８に示すように、ヘアセット器具１０を、挟持部１４の挟持面１４ａを手前側に向けて、また一方の側縁部（傾斜縁）１４ｂが上側となるようにして所要量の髪の毛２０の下に当てがう。
次いで、図５に示すように、前記のようにして、ロッド１２を、髪の毛２０をヘアセット器具１０で挟むようにして、ロッド１２の端部に、一方の係止部１６ｃが進入するようにヘアセット器具１０に当てがう。
【００２２】
この場合、フック部１６が、挟持部１４に対して角度θだけ傾斜（屈曲）していることから、図５に示すように、他方のフック部１７側の挟持部１４とロッド１２との間に所要の隙間があく。この隙間を利用して、この間の髪の毛２０を、側縁部（傾斜縁）１４ｂの両端側の高さの低い側に振り分ける（図６）。この場合、側縁部１４ｂの両端部に突部１５を有することによって、髪の毛２０が必要以上に外方に広がらないようにすることができる。また、挟持部１４とロッド１２間に上記隙間があくことから髪の毛の振り分け作業を容易に行えると共に、ロッド１２の着脱作業も容易に行える。
【００２３】
次いで、挟持部１４を弾性変形させつつ、ロッド１２を他方のフック部１７方向にずらし、係止部１７ｃをロッド１２の他方の端部に進入、係止させることで、ロッド１２をヘアセット治具に装着する（図６、図９）。この場合、挟持部１４の挟持面１４ａが、筒状ロッド１２の外表面に沿うように湾曲形成されていることから、髪の毛２０をロッド１２との間で確実に挟み込むようにすることができる。また、突部１５が、ロッド１２の外表面に沿うように湾曲されていることから、振り分けられた髪の毛２０が、突部１５の外側にはみ出すことを防止でき、作業性がよい。
【００２４】
次いで、図７、図１０に示すように、ヘアセット器具１０とロッド１２とを、手前側に向けて回転させることによって、振り分けられた先端側の髪の毛以外の髪の毛２０をヘアセット器具１０とロッド１２上に巻き付ける。
次いで、図示しない輪ゴム（固定具）を、ロッド１２の両端の突起１２ａに掛け渡して、髪の毛２０をヘアセット器具１０とロッド１２上に巻きつけた状態で、ヘアセット器具１０およびロッド１２を固定し、所要のパーマネント掛けもしくはドライアー掛けをすることによって、毛先を逃がした状態のヘアセットを行うことができる。
本実施の形態に係るヘアセット器具１０は、上記のような構成をなすので、１つのヘアセット器具１０を、様々な太さのロッドに共通して用いることができ、コスト的に有利で、また作業性にも優れる。
【００２５】
上記では、ヘアセット治具１０の一方の側縁部１４ｂを利用してヘアセットを行ったが、ヘアセット器具１０の他方の側縁部１４ｄ側を利用したヘアセットを行うことができる。
すなわち、この場合、図示しないが、
まず、ヘアセット器具１０を、挟持面１４ａが手前側となるように、かつ側縁部１４ｄが上側となるようにして所要量の髪の毛２０の下に当てがい、
ロッド１２を、髪の毛２０をヘアセット器具１０で挟むようにして、ロッド１２の端部に、係止部１７ｃが進入するようにヘアセット器具１０に当てがい、
髪の毛２０を、側縁部１４ｄの中央部の高さの低い側に寄せ集めて後、髪の毛２０の先端側を挟持部１４の一方の側に振り向け、
次いで、挟持部１４を弾性変形させつつ、ロッド１２をフック部１６方向にずらし、係止部１６ｃをロッド１２の他方の端部に進入、係止させることで、ロッド１２をヘアセット治具に装着し、
次いで、ヘアセット器具１０とロッド１２とを、手前側に向けて回転させることによって、先端側の髪の毛以外の髪の毛２０をヘアセット器具１０とロッド１２上に巻き付け、
次いで、図示しない輪ゴム（固定具）を、ロッド１２の両端の突起１２ａに掛け渡して、髪の毛２０をヘアセット器具１０とロッド１２上に巻きつけた状態で、ヘアセット器具１０およびロッド１２を固定し、所要のパーマネント掛けもしくはドライアー掛けをすることによって、毛先を一方に逃がした状態のヘアセットを行うことができる。
【００２６】
図１１〜図１３は、ヘアセット器具１０の他の実施の形態を示し、図１１はその平面図、図１２はその正面図、図１３はその側面図であり、前記実施の形態と同一の部位は同一の符号をもって示す。
本実施の形態に係るヘアセット器具１０では、挟持部１４の両側縁部１４、１４を、筒状ロッド１２外表面との間に挟み込まれる髪の毛を挟持部１４の両端方向に振り分け可能に、中央部が高く、両端部に向けて低くなる傾斜縁に形成すると共に、該傾斜縁の両端部に該傾斜縁の傾斜と逆方向に傾斜する傾斜部１４ｃを形成する突部１５を形成している。
本実施の形態でも前記と同様にして髪の毛のセットを行うことができる。
【符号の説明】
【００２７】
１０  ヘアセット器具
１２  ロッド
１４  挟持部
１４ａ  挟持面
１４ｂ  一方の側縁部
１４ｄ  他方の側縁部
１５  突部
１５ａ  傾斜部
１６  フック部
１６ａ  延設部
１６ｂ  曲折部
１６ｃ  係止部
１７  フック部
１７ａ  延設部
１７ｂ  曲折部
１７ｃ  係止部
【図１】
2017185032.tif 000003
【図２】
2017185032.tif 000004
【図３】
2017185032.tif 000005
【図４】
2017185032.tif 000006
【図５】
2017185032.tif 000007
【図６】
2017185032.tif 000008
【図７】
2017185032.tif 000009
【図８】
2017185032.tif 000010
【図９】
2017185032.tif 000011
【図１０】
2017185032.tif 000012
【図１１】
2017185032.tif 000013
【図１２】
2017185032.tif 000014
【図１３】
2017185032.tif 000015